(57)【要約】      （修正有）【課題】夜間に駐車した自動車を探索し易くすると共に、自動車を探索する為の余分な照明経費を必要としない、又、製造コストが安価な発光型自動車用ナンバープレートを提供する。【解決手段】表面に、文字、数字、記号からなる登録番号を表示した基板を設け、該基板の登録番号部に蓄光材を塗布し、且つ、該蓄光材を塗布した基板の表全面にコーティング材を塗布したもの、又、表面に、文字、数字、記号からなる登録番号を表示した基板を設け、該基板の登録番号部を除く部分に蓄光材を塗布し、且つ、該蓄光材を塗布した基板の表全面にコーティング材を塗布したものである。【選択図】図１
0003114210.tif 000002
【実用新案登録請求の範囲】
【請求項１】
表面に、文字、数字、記号からなる登録番号（ＮＯ）を表示した基板（Ｐ）を設け、該基板（Ｐ）の登録番号（ＮＯ）部に蓄光材（Ｘ）を塗布し、且つ、該蓄光材（Ｘ）を塗布した基板（Ｐ）の表全面にコーティング材（ＣＭ）を塗布する事を特徴とする発光型自動車用ナンバープレート。
【請求項２】
表面に、文字、数字、記号からなる登録番号（ＮＯ）を表示した基板（Ｐ）を設け、該基板（Ｐ）の登録番号（ＮＯ）部を除く部分に蓄光材（Ｘ）を塗布し、且つ、該蓄光材（Ｘ）を塗布した基板（Ｐ）の表全面にコーティング材（ＣＭ）を塗布する事を特徴とする発光型自動車用ナンバープレート。
【考案の詳細な説明】
【技術分野】
【０００１】
この考案は、発光型自動車用ナンバープレートに関するものである。
【背景技術】
【０００２】
従来の自動車用ナンバープレートは、アルミ板をプレス加工により登録番号を打ち出し、且つ、番号が目立ち易くする為に、打ち出した登録番号の部分と下地の部分の色を変えて焼付け塗装をし、夜間に照明を照らせば良く見える様に成っている。
【０００３】
しかし、従来の自動車用ナンバープレートは、夜間、駐車している場合には、自動車用ナンバープレートを照らす照明が消えている為、番号を確認し難く、駐車場等で自動車を探すのに時間が掛かるという問題が有った。又、従来のナンバープレートでは、自動車を探す為に、照明燈を照らす必要がある為、余分な経費と労力を費やす為、不経済である等の問題が有った。
【０００４】
そこで、上記問題を解決する為に出願された特許文献を、参考の為に紹介する。（特許文献１参照。）
【特許文献１】登録実用新案第３０４７０６２号
【０００５】
上記特許文献は、基板と反射シートと透明樹脂膜から成り、且つ、反射シートは塗料で反射面に車両登録番号を表示し、反射シートは、反射面の裏側が圧着により基板に貼り付けられている。又、透明樹脂膜は、フッ素樹脂から成り、且つ、反射シートの反射面を覆うよう反射面上に塗布加工により設けられている。
【０００６】
上記の対策型ナンバープレートは、ある程度ランニングコストは軽減出来るものの、ナンバープレート自体にコストが掛かっている為、更に低コストで効果のあるものを求められている。
【考案の開示】
【考案が解決しようとする課題】
【０００７】
そこで、上記課題を解決する為に、この考案は夜間に駐車した自動車を探索し易くすると共に、自動車を探索する為の余分な照明経費を必要としない、又、製造コストが安価な
発光型自動車用ナンバープレートを開発・提供する事にある。
【課題を解決するための手段】
【０００８】
この課題を解決する為の手段として、表面に、文字、数字、記号からなる登録番号を表示した基板を設け、該基板の登録番号部に蓄光材を塗布し、且つ、該蓄光材を塗布した基板の表全面にコーティング材を塗布したものである。
【０００９】
又、表面に、文字、数字、記号からなる登録番号を表示した基板を設け、該基板の登録番号部を除く部分に蓄光材を塗布し、且つ、該蓄光材を塗布した基板の表全面にコーティング材を塗布したものである。
【考案の効果】
【００１０】
この考案の効果として、表面に、文字、数字、記号からなる登録番号を表示した基板を設け、該基板の登録番号部に蓄光材を塗布し、且つ、該蓄光材を塗布した基板の表全面にコーティング材を塗布し、又、表面に、文字、数字、記号からなる登録番号を表示した基板を設け、該基板の登録番号部を除く部分に蓄光材を塗布し、且つ、該蓄光材を塗布した基板の表全面にコーティング材を塗布する事で、夜間に駐車した自動車を探索し易くすると共に、自動車を探索する為の余分な照明経費を必要としない、又、製造コストが安価である等、極めて有益なる効果を奏するものである。
【００１１】
又、ナンバープレートに塗布した蓄光材が対向車や後続車の照明を受けて反射する事で、双方のドライバーの注意力を増し、追突や接触事故を回避する事ができる。
【考案を実施するための最良の形態】
【００１２】
この考案の最良の形態として、表面に、文字、数字、記号からなる登録番号を表示した基板を設け、該基板の登録番号部に蓄光材を塗布し、且つ、該蓄光材を塗布した基板の表全面にコーティング材を塗布するか、又、表面に、文字、数字、記号からなる登録番号を表示した基板を設け、該基板の登録番号部を除く部分に蓄光材を塗布し、且つ、該蓄光材を塗布した基板の表全面にコーティング材を塗布して成るものである。
【実施例１】
【００１３】
そこで、この考案の一実施例を図面に基づいて詳述すると、表面に、文字、数字、記号からなる登録番号を表示した基板を設け、該基板の登録番号部に蓄光材を塗布し、且つ、該蓄光材を塗布した基板の表全面にコーティング材を塗布し、又、表面に、文字、数字、記号からなる登録番号を表示した基板を設け、該基板の登録番号部を除く部分に蓄光材を塗布し、且つ、該蓄光材を塗布した基板の表全面にコーティング材を塗布から構成される。
【００１４】
図１に示す様に、自動車用ナンバープレートは、登録番号をプレス加工により打ち出したアルミ製基板（Ｐ）の登録番号（ＮＯ）部（凸部）にイエローグリーン色の蓄光材（Ｘ）を塗布し、且つ、アルミ製基板（Ｐ）の全表面に堅牢なポリカーボネート等のコーティング材（ＣＭ）を塗布したものである。
【００１５】
又、ナンバープレートの基板（Ｐ）の寸法形状及び登録番号（ＮＯ）部の文字・数字の寸法は標準規格に準じたものである。
【００１６】
図２は、ナンバープレートの断面図を示し、図１のａ−ａ矢視断面である。
【実施例２】
【００１７】
その他の実施例として、表面に、文字、数字、記号からなる登録番号（ＮＯ）を表示した基板（Ｐ）を設け、該基板（Ｐ）の登録番号（ＮＯ）部を除く部分に蓄光材（Ｘ）を塗布し、且つ、該蓄光材（Ｘ）を塗布した基板（Ｐ）の表全面にコーティング材（ＣＭ）を塗布する事を特徴とする発光型自動車用ナンバープレートから構成される。
【００１８】
実施例１に対して、実施例２の場合は、図３（Ａ）（Ｂ）に示す様に、アルミ製基板（Ｐ）の登録番号（ＮＯ）部（凸部）以外の部分にイエローグリーン色の蓄光材（Ｘ）を塗布し、且つ、アルミ製基板（Ｐ）の全表面に堅牢なポリカーボネート等のコーティング材（ＣＭ）を塗布したものである。
【産業上の利用可能性】
【００１９】
この考案の発光型自動車用ナンバープレートは、製造コストが安価で、夜間に駐車した自動車を探索し易くすると共に、自動車を探索する為の余分な照明経費を必要としない為、多くの自動車産業関係市場に寄与する点で産業上の利用可能性を有する。
【図面の簡単な説明】
【００２０】
【図１】この考案の一実施例を示し、正面図である。
【図２】この考案の一実施例を示し、図１のａ−ａ矢視断面図である。
【図３】その他の実施例を示し、（Ａ）は正面図で、（Ｂ）は図１（Ａ）のａ−ａ矢視断面図である。
【符号の説明】
【００２１】
ＣＭ  コーティング材
ＮＯ  登録番号
Ｐ  基板
Ｘ  蓄光材
【図１】
0003114210.tif 000003
【図２】
0003114210.tif 000004
【図３】
0003114210.tif 000005
【手続補正書】
【提出日】平成17年7月1日(2005.7.1)
【手続補正１】
【補正対象書類名】明細書
【補正対象項目名】全文
【補正方法】変更
【補正の内容】
【考案の詳細な説明】
【技術分野】
【０００１】
この考案は、発光型自動車用ナンバープレートに関するものである。
【背景技術】
【０００２】
従来の自動車用ナンバープレートは、アルミ板をプレス加工により登録番号を打ち出し、且つ、番号が目立ち易くする為に、打ち出した登録番号の部分と下地の部分の色を変えて焼付け塗装をし、夜間やトンネル内等で照明を照らせば良く見える様に成っている。
【０００３】
しかし、従来の自動車用ナンバープレートは、特に夜間やトンネル内等では、自動車用ナンバープレートを照らす照明が消えている為、番号を確認し難く、駐車場等で自動車を探すのに時間が掛かるという問題が有った。又、従来のナンバープレートでは、自動車を探す為に、照明燈を照らす必要がある為、余分な経費と労力を費やす為、不経済である等の問題が有った。
【０００４】
そこで、上記問題を解決する為に出願された特許文献を、参考の為に紹介する。（特許文献１参照。）
【特許文献１】登録実用新案第３０４７０６２号
【０００５】
上記特許文献は、基板と反射シートと透明樹脂膜から成り、且つ、反射シートは塗料で反射面に車両登録番号を表示し、反射シートは、反射面の裏側が圧着により基板に貼り付けられている。又、透明樹脂膜は、フッ素樹脂から成り、且つ、反射シートの反射面を覆うよう反射面上に塗布加工により設けられている。
【０００６】
上記の対策型ナンバープレートは、ある程度ランニングコストは軽減出来るものの、ナンバープレート自体にコストが掛かっている為、更に低コストで効果のあるものを求められている。
【考案の開示】
【考案が解決しようとする課題】
【０００７】
そこで、上記課題を解決する為に、この考案は、特に夜間やトンネル内等の自動車を探索し易くすると共に、自動車を探索する為の余分な照明経費を必要としない、又、製造コストが安価な発光型自動車用ナンバープレートを開発・提供する事にある。
【課題を解決するための手段】
【０００８】
この課題を解決する為の手段として、表面に、文字、数字、記号からなる登録番号を表示した基板を設け、該基板の登録番号部に蓄光材を塗布し、且つ、該蓄光材を塗布した基板の表全面にコーティング材を塗布したものである。
【０００９】
又、表面に、文字、数字、記号からなる登録番号を表示した基板を設け、該基板の登録番号部を除く部分に蓄光材を塗布し、且つ、該蓄光材を塗布した基板の表全面にコーティング材を塗布したものである。
【考案の効果】
【００１０】
この考案の効果として、表面に、文字、数字、記号からなる登録番号を表示した基板を設け、該基板の登録番号部に蓄光材を塗布し、且つ、該蓄光材を塗布した基板の表全面にコーティング材を塗布し、又、表面に、文字、数字、記号からなる登録番号を表示した基板を設け、該基板の登録番号部を除く部分に蓄光材を塗布し、且つ、該蓄光材を塗布した基板の表全面にコーティング材を塗布する事で、特に夜間やトンネル内等の自動車を探索し易くすると共に、自動車を探索する為の余分な照明経費を必要としない、又、製造コストが安価である等、極めて有益なる効果を奏するものである。
【００１１】
又、ナンバープレートに塗布した蓄光材が対向車や後続車の照明を受けて反射する事で、双方のドライバーの注意力を増し、追突や接触事故を回避する事ができる。
【考案を実施するための最良の形態】
【００１２】
この考案の最良の形態として、表面に、文字、数字、記号からなる登録番号を表示した基板を設け、該基板の登録番号部に蓄光材を塗布し、且つ、該蓄光材を塗布した基板の表全面にコーティング材を塗布するか、又、表面に、文字、数字、記号からなる登録番号を表示した基板を設け、該基板の登録番号部を除く部分に蓄光材を塗布し、且つ、該蓄光材を塗布した基板の表全面にコーティング材を塗布して成るものである。
【実施例１】
【００１３】
そこで、この考案の一実施例を図面に基づいて詳述すると、表面に、文字、数字、記号からなる登録番号を表示した基板を設け、該基板の登録番号部に蓄光材を塗布し、且つ、該蓄光材を塗布した基板の表全面にコーティング材を塗布し、又、表面に、文字、数字、記号からなる登録番号を表示した基板を設け、該基板の登録番号部を除く部分に蓄光材を塗布し、且つ、該蓄光材を塗布した基板の表全面にコーティング材を塗布から構成される。
【００１４】
図１に示す様に、自動車用ナンバープレートは、登録番号をプレス加工により打ち出したアルミ製基板（Ｐ）の登録番号（ＮＯ）部（凸部）にイエローグリーン色の蓄光材（Ｘ）を塗布し、且つ、アルミ製基板（Ｐ）の全表面に堅牢なポリカーボネート等のコーティング材（ＣＭ）を塗布したものである。
【００１５】
又、ナンバープレートの基板（Ｐ）の寸法形状及び登録番号（ＮＯ）部の文字・数字の寸法は標準規格に準じたものである。
【００１６】
図２は、ナンバープレートの断面図を示し、図１のａ−ａ矢視断面である。
【実施例２】
【００１７】
その他の実施例として、表面に、文字、数字、記号からなる登録番号（ＮＯ）を表示した基板（Ｐ）を設け、該基板（Ｐ）の登録番号（ＮＯ）部を除く部分に蓄光材（Ｘ）を塗布し、且つ、該蓄光材（Ｘ）を塗布した基板（Ｐ）の表全面にコーティング材（ＣＭ）を塗布する事を特徴とする発光型自動車用ナンバープレートから構成される。
【００１８】
実施例１に対して、実施例２の場合は、図３（Ａ）（Ｂ）に示す様に、アルミ製基板（Ｐ）の登録番号（ＮＯ）部（凸部）以外の部分にイエローグリーン色の蓄光材（Ｘ）を塗布し、且つ、アルミ製基板（Ｐ）の全表面に堅牢なポリカーボネート等のコーティング材（ＣＭ）を塗布したものである。
【産業上の利用可能性】
【００１９】
この考案の発光型自動車用ナンバープレートは、製造コストが安価で、特に夜間やトンネル内等の自動車を探索し易くすると共に、自動車を探索する為の余分な照明経費を必要としない為、多くの自動車産業関係市場に寄与する点で産業上の利用可能性を有する。
【図面の簡単な説明】
【００２０】
【図１】この考案の一実施例を示し、正面図である。
【図２】この考案の一実施例を示し、図１のａ−ａ矢視断面図である。
【図３】その他の実施例を示し、（Ａ）は正面図で、（Ｂ）は図１（Ａ）のａ−ａ矢視断面図である。
【符号の説明】
【００２１】
ＣＭ  コーティング材
ＮＯ  登録番号
Ｐ  基板
Ｘ  蓄光材